(57)【要約】【課題】素早く手軽な入力操作が可能、また、電子装置の体積を有効的に縮小することができる背負い式入力装置を提案する。【解決手段】本発明の背負い式入力装置は、特に電子装置に使用する入力装置であり、少なくとも一つの機体、一つの機体背面に設ける操作インタフェース、及びモニターに表示され、操作インタフェースとの相対位置にあるキーボード表を含み、これにより使用者に入力操作時の参考を与える為、素早く手軽に入力操作、且つ電子装置の体積を有効的に縮小することができる。【選択図】図１
2007293407.tif 000002
【特許請求の範囲】
【請求項１】
背負い式入力装置は、入力装置によって電子装置作動指令の入力を行うものであり、モニターにより表示、それは、少なくとも一つの機体、一つの操作インタフェースを含むもので、その操作インタフェースは、機体上の操作者の視線が及ばない背面に設けられ、且つ、指でその機体を挟み込んだ後タッチ操作する位置にあり、また、対応するモニター12上に操作結果を表示、その操作結果の作動方向と位置は、背面操作インタフェースの実際のキー位置と操作方向と、鏡映関係を成すことを特徴とする背負い式入力装置。
【請求項２】
請求項１記載の背負い式入力装置において、前記操作インタフェースは、一つのキーボードであり、モニターに表示される操作結果はキーボード表で、その操作インタフェースのキーボードのキーとキーボード表上のキーとは、上下が同位置、左右が対称位置である鏡映排列を呈することを特徴とする背負い式入力装置。
【請求項３】
請求項２記載の背負い式入力装置において、前記機体に設けた一つのキーは、モニター上のキーボード表の表示もしくは消失を制御することを特徴とする背負い式入力装置。
【請求項４】
請求項２記載の背負い式入力装置において、機体正面にはキーボード表をプリントし、そのキーボード表上のキー位置と背面操作インタフェースの実際のキー位置は鏡映関係を成し、各キーの入力文字もしくは機能を表示することを特徴とする背負い式入力装置。
【請求項５】
請求項２記載の背負い式入力装置において、前記キーは、指がキーに接触しているかどうかによりキーボード表の表示と消失を制御することを特徴とする背負い式入力装置。
【請求項６】
請求項１記載の背負い式入力装置において、前記機体の背面には更に支え部を設けることを特徴とする背負い式入力装置。
【請求項７】
請求項１記載の背負い式入力装置において、前記機体両側の延伸板により構成される親指挟持部を更に設けることを特徴とする背負い式入力装置。
【請求項８】
請求項１記載の背負い式入力装置において、機体両側において枢軸に軸設したＬ型部品により構成される親指挟持部を設けることを特徴とする背負い式入力装置。
【請求項９】
請求項１記載の背負い式入力装置において、機体両側の引出部を一つ以上の支持棒に連結して構成される親指挟持部を設けることを特徴とする背負い式入力装置。
【請求項１０】
請求項２記載の背負い式入力装置において、前記キーボードにおいて指の接触位置が示す文字は、特殊表示でモニターのキーボード表に表示されることを特徴とする背負い式入力装置。
【請求項１１】
請求項２記載の背負い式入力装置において、前記キーは、指接触位置を感知する為のセンサーユニットを具えることを特徴とする背負い式入力装置。
【請求項１２】
請求項１１記載の背負い式入力装置において、前記センサーユニットは蓄電式タッチパッドであることを特徴とする背負い式入力装置。
【請求項１３】
請求項１１記載の背負い式入力装置において、前記センサーユニットは電気抵抗式タッチパッドであることを特徴とする背負い式入力装置。
【請求項１４】
請求項１１記載の背負い式入力装置において、前記センサーユニットはフォトレジスト式センサーユニットであることを特徴とする背負い式入力装置。
【請求項１５】
請求項１記載の背負い式入力装置において、前記操作インタフェースは、少なくとも一つ以上のカーソル制御装置を更に含み、それは鏡映移動関係によりモニターに表示される操作結果に対応し、モニター上のカーソルの移動もしくは項目選択をコントロールすることを特徴とする背負い式入力装置。
【請求項１６】
請求項１記載の背負い式入力装置において、更に二つのカーソル制御装置を含む前記操作インタフェースは、モニター上のカーソル移動を共同操作することを特徴とする背負い式入力装置。
【請求項１７】
請求項１５記載の背負い式入力装置において、前記カーソル制御装置は、タッチパッドとすることを特徴とする背負い式入力装置。
【請求項１８】
請求項１５記載の背負い式入力装置において、前記カーソル制御装置は、バーとすることを特徴とする背負い式入力装置。
【請求項１９】
請求項１５記載の背負い式入力装置において、前記カーソル制御装置は、五方向式キーとすることを特徴とする背負い式入力装置。
【請求項２０】
請求項１５記載の背負い式入力装置において、前記カーソル制御装置は、トラックボールとすることを特徴とする背負い式入力装置。
【発明の詳細な説明】
【技術分野】
【０００１】
本発明の背負い式入力装置は、特に、電子装置使用の入力装置を提案するものであり、その機体背面に設ける操作インタフェースにより、素早く手軽に入力操作ができ、電子装置の体積を有効的に縮小するものである。
【背景技術】
【０００２】
長い間、完璧なキーボードを持つ電子装置は、多くの指で同時にキーボード操作して素早く文字入力する電子装置であり、主となるデスクトップパソコン、ノートブックパソコン及び若干のピーディーエー(PDA:Personal Digital Assistants)等これらの装置は、素早い文字入力が可能であるが、効率的に文書処理やメール返信をする為にはオフィス作業にかなりの部分が占められ、装置を支える机等の平台があってこそ文字入力作業ができるという共通制限を持つ。例えば、小型キーボード配備のピーディーエー(PDA:Personal Digital Assistants)や先端技術の携帯電話、モニター使用のバーチャルキーボード、文字識別機能を持つタッチモニター等の数少ない携帯式電子装置は、持ち運びに便利で、文字入力時には、机等平台による支えが不要、どこでも使用可能であるという長所があり、常時オフィス作業の分担ができるが、文字入力の速度については、従来パソコンやノートブックパソコンとは全く比較にならないものである。
【０００３】
デジタル通信システムとその技術発展に伴い、モバイルオフィスは現在企業の新形態であるが、机のある環境がいつでもどこでもあるわけではない故、机等の平台不要、且つ素早い文字入力が可能であることが人々の強い要望となっている。
【発明の開示】
【発明が解決しようとする課題】
【０００４】
本発明の目的は、電子装置に使用する背負い式入力装置を提案することにあり、それにより素早く手軽な入力操作が可能、また、電子装置の体積を有効的に縮小することができる。
【０００５】
本発明の背負い式入力装置は、入力装置によって電子装置作動指令の入力を行うもので、モニターにより表示、それは少なくとも、一つの機体、一つの操作インタフェースを含む。その操作インタフェースは、機体上の操作者の視線が及ばない背面に設けられ、モニター上に操作結果を表示、前記操作結果の作動方向と位置と、操作インタフェースの実際位置及び操作方向とは、鏡映関係を成しており、操作者に電子装置作動指令入力の参考として提供する。また、操作インタフェースはキーボードを指し、モニターが表示する操作結果はキーボード表を指す。
【０００６】
前述本発明背負い式入力装置の電子装置は、パソコン、ピーディーエー(PDA:Personal Digital Assistants)、携帯電話、及びその他中央処理装置(CPU)を具える等文字入力を受け入れる電子装置である。
前述本発明背負い式入力装置の操作インタフェースは、複数のキーにより構成され、キーは、文字や機能の入力に用いられるもので、並びに指でその機体を挟み込んだ後タッチ操作する位置にあり、また、対応するモニター上には、キーボード表が表示され、前記キーボード表上のキー位置と、背面操作インタフェースの実際のキー位置とは、鏡映関係、即ち上下が同位置、左右が対称位置となる鏡映排列関係を成す。
前述本発明背負い式入力装置のモニターは、その両側に少なくとも一つの左右キーを設けてモニター上のカーソル移動と項目選択をコントロールする。
前述本発明背負い式入力装置のモニターは、本発明の機体以外の電子装置上に独立することが可能であり、コード式もしくはコードレス式により機体に接続する。また、機体の正面にはキーボード表をプリントし、キーボード表上のキー位置と背面操作インタフェースの実際のキー位置は鏡映関係（上下が同位置、左右が対称位置の鏡映排列）を成し、操作者の入力の参考となるように、各キーの文字や機能入力を表示する。
【０００７】
前述本発明背負い式入力装置の操作インタフェースは、少なくとも一つ以上のカーソル制御装置を更に含み、並びに鏡映移動関係（上下が同位置、左右が対称位置）によって、モニターが表示する操作結果に対応しており、モニター上のカーソル移動もしくは項目選択をコントロールする。そのカーソル制御装置は、タッチパッド、トラックボール、バー、五方向式キー等とすることも可能であり、また二つを共同操作するタッチパッドとすることも可能である。
前述本発明背負い式入力装置のモニターが表示するキーボード表は、キー文字表もしくはキー位置図であり、指が接触しているかプッシュ時にオンとし、指が離れるかプッシュ時にオフとすることをキーによってコントロールする。
前述本発明背負い式入力装置は、親指挟持部を更に設け、親指もしくは親指の腱で機体重量を支える作用のある箇所を提供する。それは機体両側に設ける延伸板により構成される。
前述本発明背負い式入力装置の機体は、背面に一つの支え部を更に設け、機体を机に置く時に使用する。
【０００８】
前述本発明背負い式入力装置のキーボードは、指の接触位置を感知する為のセンサーユニットを具え、そのセンサーユニットは、蓄電式もしくは電気抵抗式タッチパッド、またはフォトレジスト式タッチパッドであり、これにより、指がキーに接近もしくはプッシュした場合、モニターのキーボード表に指位置に対応するキーが表示され、並びに例えばカラーや図柄等の特殊表示により表示区別をして表示される。
前述本発明背負い式入力装置のキーボードは、センサーユニットであり、そのセンサーユニットは蓄電式、電気抵抗式タッチパッドであり、座標解析能力を有し、同一キーの表面は、複数の小区分により区分けし、各小区分は、特定の文字の意味もしくは機能に対応している。
前述本発明背負い式入力装置のキーは、指がキーに接触しているかどうかによりキーボード表の表示と消失をコントロールする。
【課題を解決するための手段】
【０００９】
請求項１の発明は、背負い式入力装置は、入力装置によって電子装置作動指令の入力を行うものであり、モニターにより表示、それは、少なくとも一つの機体、一つの操作インタフェースを含むもので、その操作インタフェースは、機体上の操作者の視線が及ばない背面に設けられ、且つ、指でその機体を挟み込んだ後タッチ操作する位置にあり、また、対応するモニター12上に操作結果を表示、その操作結果の作動方向と位置は、背面操作インタフェースの実際のキー位置と操作方向と、鏡映関係を成すことを特徴とする背負い式入力装置としている。
請求項２の発明は、請求項１記載の背負い式入力装置において、前記操作インタフェースは、一つのキーボードであり、モニターに表示される操作結果はキーボード表で、その操作インタフェースのキーボードのキーとキーボード表上のキーとは、上下が同位置、左右が対称位置である鏡映排列を呈することを特徴とする背負い式入力装置としている。
請求項３の発明は、請求項２記載の背負い式入力装置において、前記機体に設けた一つのキーは、モニター上のキーボード表の表示もしくは消失を制御することを特徴とする背負い式入力装置としている。
請求項４の発明は、請求項２記載の背負い式入力装置において、機体正面にはキーボード表をプリントし、そのキーボード表上のキー位置と背面操作インタフェースの実際のキー位置は鏡映関係を成し、各キーの入力文字もしくは機能を表示することを特徴とする背負い式入力装置としている。
請求項５の発明は、請求項２記載の背負い式入力装置において、前記キーは、指がキーに接触しているかどうかによりキーボード表の表示と消失を制御することを特徴とする背負い式入力装置としている。
請求項６の発明は、請求項１記載の背負い式入力装置において、前記機体の背面には更に支え部を設けることを特徴とする背負い式入力装置としている。
請求項７の発明は、請求項１記載の背負い式入力装置において、前記機体両側の延伸板により構成される親指挟持部を更に設けることを特徴とする背負い式入力装置としている。
請求項８の発明は、請求項１記載の背負い式入力装置において、機体両側において枢軸に軸設したＬ型部品により構成される親指挟持部を設けることを特徴とする背負い式入力装置としている。
請求項９の発明は、請求項１記載の背負い式入力装置において、機体両側の引出部を一つ以上の支持棒に連結して構成される親指挟持部を設けることを特徴とする背負い式入力装置としている。
請求項１０の発明は、請求項２記載の背負い式入力装置において、前記キーボードにおいて指の接触位置が示す文字は、特殊表示でモニターのキーボード表に表示されることを特徴とする背負い式入力装置としている。
【００１０】
請求項１１の発明は、請求項２記載の背負い式入力装置において、前記キーは、指接触位置を感知する為のセンサーユニットを具えることを特徴とする背負い式入力装置としている。
請求項１２の発明は、請求項１１記載の背負い式入力装置において、前記センサーユニットは蓄電式タッチパッドであることを特徴とする背負い式入力装置としている。
請求項１３の発明は、請求項１１記載の背負い式入力装置において、前記センサーユニットは電気抵抗式タッチパッドであることを特徴とする背負い式入力装置としている。
請求項１４の発明は、請求項１１記載の背負い式入力装置において、前記センサーユニットはフォトレジスト式センサーユニットであることを特徴とする背負い式入力装置としている。
請求項１５の発明は、請求項１記載の背負い式入力装置において、前記操作インタフェースは、少なくとも一つ以上のカーソル制御装置を更に含み、それは鏡映移動関係によりモニターに表示される操作結果に対応し、モニター上のカーソルの移動もしくは項目選択をコントロールすることを特徴とする背負い式入力装置としている。
請求項１６の発明は、請求項１記載の背負い式入力装置において、更に二つのカーソル制御装置を含む前記操作インタフェースは、モニター上のカーソル移動を共同操作することを特徴とする背負い式入力装置としている。
請求項１７の発明は、請求項１５記載の背負い式入力装置において、前記カーソル制御装置は、タッチパッドとすることを特徴とする背負い式入力装置としている。
請求項１８の発明は、請求項１５記載の背負い式入力装置において、前記カーソル制御装置は、バーとすることを特徴とする背負い式入力装置としている。
請求項１９の発明は、請求項１５記載の背負い式入力装置において、前記カーソル制御装置は、五方向式キーとすることを特徴とする背負い式入力装置としている。
請求項２０の発明は、請求項１５記載の背負い式入力装置において、前記カーソル制御装置は、トラックボールとすることを特徴とする背負い式入力装置としている。
【発明の効果】
【００１１】
本発明の背負い式入力装置は、電子装置に使用する背負い式入力装置を提案することにあり、それにより素早く手軽な入力操作が可能、また、電子装置の体積を有効的に縮小することができることを特徴とする。
【発明を実施するための最良の形態】
【００１２】
図１に、本発明の背負い式入力装置に関する正面立体図を示す。図２には、本発明の背負い式入力装置に関する背面立体図を示す。それは少なくとも、一つの機体1、一つの操作インタフェース14を含み、その機体1は、その正面11両側それぞれに親指挟持部111及びモニター12を設け、また、操作インタフェース14は、機体1上の操作者の視線が及ばない背面13に設け、それは、複数のキー141により構成されている。キー141は、文字入力もしくは機能入力に用いられるもので、並びに指でその機体1を持った後タッチ操作できる位置にあり、また、対応するモニター12上に、キーボード表120である操作結果を表示、前記キーボード表120上のキー120a位置と、背面13の実際のキー141位置とは、鏡映関係を成す。
【００１３】
前述本発明のモニター12中のキーボード表120と、複数のキー141とは、上下が同位置、左右が対称位置にある鏡映排列関係にあり、それは、機体1の一キー141、142（最良なのは常時プッシュに便利な、機体1正面側もしくはその一側辺）により、モニター12中のキーボード表120の表示もしくは消失を制御する。また、キーボード表120はキー文字表もしくはキー位置図とすることも可能で、各キー141の文字もしくは機能の入力を表示、且つ各キー141が示す文字は、異なる操作状態において異なる意味もしくは機能に変化する。
【００１４】
本発明の少なくとも一つ以上のカーソル制御装置143、144を更に含む操作インタフェース14は、鏡映移動関係（上下が同位置、左右が対称位置）によって、モニター12上のカーソルAの移動もしくは項目選択を制御、これは図３に示すとおりであり、指がカーソル制御装置143上のｄ1点からｄ2点に移動すると（点線は移動経路を示す）、鏡映移動関係（上下が同位置、左右が対称位置）によって、対応するモニター12上のカーソルAは、e1点からe2点に移動する。
【００１５】
前述本発明の少なくとも一つ以上のカーソル制御装置143、144を更に含む操作インタフェース14は、タッチパッド（図２参照）、トラックボール145（図４参照）、バー146（図５参照）、五方向式キー147（図６参照）とすることも可能であり、鏡映移動関係により指でのモニター12上のカーソルAの移動や項目選択を操作制御（図７参照）、モニター12上のカーソルAは、図４、図５、図６のトラックボール145、バー146、五方向式キー147等により鏡映関係の移動操作を行う。
【００１６】
前述本発明の更に二つのカーソル制御装置143、144を含む操作インタフェース14は、タッチパッドとすることも可能で、共にモニター12上のカーソルAを移動させ、図8に示すとおり、その内カーソル制御装置143上で指をｄ3点からｄ4点に移動させると同時に、対応するモニター12上のカーソルAはe3点からe4点に移動し、また、カーソル制御装置144上の指をｄ5点からｄ6点に移動すると、対応するモニター12上のカーソルAはe4点からe5点に移動することにより、カーソルAの移動を共同操作する。
【００１７】
図９に示す、本発明の別の実施例（1）において、機体2のキー241はセンサーユニット241aを具え、そのセンサーユニット241aは蓄電式もしくは電気抵抗式タッチパッドであり、座標解析能力を有し、同一キー241の表面は、複数の小区分241bにより区分けし、各小区分241bは、特定の文字の意味もしくは機能に対応している。前記キー241は、指がキーに接触しているかどうかによりキーボード表の表示と消失を制御する。
【００１８】
図１０に示す本発明の別の実施例(2)において、機体3のキー341は、フォトレジスト式センサーユニット35を具え、一つ以上の光送信器351を一つ以上の光受信光受信器352に相対させ、指がキー341位置にある場合の光反射時差を利用して、指の接触するキー341位置を定めモニターに表示する。
【００１９】
図１１、図１２に示す本発明の別の実施例(3)において、機体4の正面41に設けたモニター42に表示されるキーボード表420中のキー位置は、一対一の方式で対応する機体背面の実際のキー441の真上に表示され、操作者が更に正確にプッシュできるようにする。これは図11に示すように、例えば、“Y”字のキー441はモニター42上のキーボード表420の“Y”字420aに直接対応する。
【００２０】
図１３、図１４に示す本発明の別の実施例図（4）において、本発明のモニター521は、本発明の機体51以外の電子装置52上に独立させることが可能であり、コード式もしくはコードレス式により機体51と接続する。同時に操作者の便利な入力参考となるように、機体51の正面511にはキーボード表512をプリントし、キーボード表512上のキー512a位置と背面513操作インタフェース514の実際のキー514a位置は鏡映関係（上下が同位置、左右が対称位置の鏡映排列）を成し、各キー512aの入力文字もしくは機能を表示、これにより操作者が背面513のキー514aをプッシュした時の参考となる。
【００２１】
図１５に示す本発明の別の実施例(5)において、機体6の背面61には更に支え部62を設けてあり、機体6を机に置いて使用できるようにする。
【００２２】
図１６に示す本発明の別の実施例(6)において、機体7の正面71両側には親指挟持部92を設け、それは機体7両側の延伸板721により構成されており、操作者が親指で挟むことができるようにする。
【００２３】
図１７に示す本発明の別の実施例(7)において、機体8正面81の両側には、Ｌ型部品821を枢軸822に軸設した親指挟持部82を設け、使用時にはＬ型部品821を上に折り返して親指で挟み、使用しない場合は下に折り曲げて収納する。
【００２４】
図１８に示す本発明の別の実施例(8)において、機体9正面91の両側には、引出部921に一つ以上の支持棒922を連結して構成される親指挟持部92を設け、機体9両側の支持棒922の対応位置には、支持棒922を引き出したり戻したりする為の一つ以上の内孔923を開け、これにより、引出部921は使用時に引っ張り出して親指で挟み、使用しない場合は内側に収縮することができる。
【図面の簡単な説明】
【００２５】
【図１】本発明の正面立体図である。
【図２】本発明の背面立体図である。
【図３】本発明に関するカーソル制御装置の操作図(1)である。
【図４】本発明に関するカーソル制御装置の実施例(1)である。
【図５】本発明に関するカーソル制御装置の実施例(2)である。
【図６】本発明に関するカーソル制御装置の実施例(3)である。
【図７】本発明に関するカーソル制御装置の操作図(2)である。
【図８】本発明に関するカーソル制御装置の操作図(3)である。
【図９】本発明の別の実施例(1)図である。
【図１０】本発明の別の実施例(2)図である。
【図１１】本発明の別の実施例(3)の正面立体図である。
【図１２】本発明の別の実施例(3)の背面立体図である。
【図１３】本発明の別の実施例(4)の表示図(1)である。
【図１４】本発明の別の実施例(4)の表示図(2)である。
【図１５】本発明の別の実施例(5)の表示図である。
【図１６】本発明の別の実施例(6)の表示図である。
【図１７】本発明の別の実施例(7)の表示図である。
【図１８】本発明の別の実施例(8)の表示図である。
【符号の説明】
【００２６】
１        機体
１１      正面
１１１    親指挟持部
１２      モニター
１２０    キーボード表
１３      背面
１４      操作インタフェース
１４１    キー
１２０ａ  キー
１４２    キー
１４３、１４４  カーソル制御装置
１４５    トラックボール
１４６    バー
１４７    五方向式キー
２        機体
２４１    キー
２４１ａ  センサーユニット
２４１ｂ  小区分
３        機体
３４１    キー
３５      フォトレジスト式センサーユニット
３５１    光送信器
３５２    光受信器
４        機体
４１      正面
４２      モニター
４２０    キーボード表
４２０ａ  字
４４１    キー
５１      機体
５１１    正面
５１２    キーボード表
５１３    背面
５１２ａ  キー
５１４    操作インタフェース
５１４ａ  キー
５２      電子装置
５２１    モニター
６        機体
６１      背面
６２      支え部
７        機体
７１      正面
７２      親指挟持部
７２１    延伸板
８        機体
８１      正面
８２      親指挟持部
８２１    Ｌ型部品
８２２    枢軸
９        機体
９１      正面
９２      親指挟持部
９２１    引出部
９２２    支持棒
９２３    内孔
ｄ1、ｄ2、ｄ3、ｄ4、ｄ5、ｄ6   カーソル制御装置における指の移動点
ｅ1、ｅ2、ｅ3、ｅ4、ｅ5        カーソル移動点
【図１】
2007293407.tif 000003
【図２】
2007293407.tif 000004
【図３】
2007293407.tif 000005
【図４】
2007293407.tif 000006
【図５】
2007293407.tif 000007
【図６】
2007293407.tif 000008
【図７】
2007293407.tif 000009
【図８】
2007293407.tif 000010
【図９】
2007293407.tif 000011
【図１０】
2007293407.tif 000012
【図１１】
2007293407.tif 000013
【図１２】
2007293407.tif 000014
【図１３】
2007293407.tif 000015
【図１４】
2007293407.tif 000016
【図１５】
2007293407.tif 000017
【図１６】
2007293407.tif 000018
【図１７】
2007293407.tif 000019
【図１８】
2007293407.tif 000020